(57)【特許請求の範囲】
【請求項１】
印刷済みの内容物を封筒に封入封緘して封書を作製する封入封緘装置において、
内容物封入位置まで搬送した前記封筒のフラップを保持するフラップ保持手段と、
前記内容物封入位置まで搬送した前記封筒の底部を保持する底部保持手段と、
前記封筒の開口端に沿って設けられた複数の爪部を有し前記開口部を開口する際に退避位置から前記封筒の開口端に向けて回動自在に軸支され開口爪と、前記封筒が内容物封入位置まで搬送されたときに前記封筒の開口端を前記開口爪とで狭持した状態で前記封筒の搬送方向と逆方向に回転して前記開口端に所定の張力を付与する張力付与ローラとで構成され、前記封筒のフラップ及び底部が保持された状態で前記封筒の開口部を開口し、且つ前記開口部の開口端と前記封筒底部との間に、張力を付与しながら保持する開口部保持手段と、
を備えたことを特徴とする封入封緘装置。
【請求項２】
前記フラップ保持手段及び前記底部保持手段は一対の搬送ローラからなり、前記フラップ保持手段の回転駆動を停止した後、所定時間経過後に前記底部保持手段の回転駆動を停止することを特徴とする請求項１記載の封入封緘装置。
【発明の詳細な説明】
【技術分野】
【０００１】
本発明は、用紙に印刷を施した内容物を封筒に封入封緘して封書を作製する封入封緘装置に関するものである。
【背景技術】
【０００２】
従来、封筒に各種内容物を封入封緘して封書を作成する封入封緘装置では、封筒に内容物を封入する際、スムーズに内容物を封入するよう事前に封筒の開口部を開口させた状態で内容物の封入動作を行っている。そして、このような封筒の開口端を開口する構成としては、例えば下記特許文献１〜３に開示される装置が知られている。
【０００３】
下記特許文献１の装置では、傾斜面部を有する一対のインサートガイドを回転軸によって９０°の範囲で左右対称的に、且つ逆位相で揺動させ、水平面部が封筒の開口端縁における幅方向中央位置から封筒内に入り込み、カマスと干渉することなく、封筒を大きく開口させることで、封筒に同封物を挿入する封筒の封入封緘機において、同封物挿入の際に封筒を拡開させている。
【０００４】
また、下記特許文献２の装置では、フラップ開放用の爪部材で移動する封筒の後部のフラップを係止し、封筒の後端縁を支点としてフラップを起立させ、さらにフラップを折り返して開口部を開放し、さらにこの開口部の拡開用としての爪部材で封筒のフラップが設けられていない側の開口端部を下方に開くことで開口端部の拡開を行っている。
【０００５】
さらに、下記特許文献３の装置では、封筒を吸着する吸着部材と、該吸着部材を封筒を開口させる方向に変位させる動作機構と、支点を中心として揺動する揺動腕と、該揺動腕の揺動により変位されて動作機構に揺動腕の動力を伝達する動力伝達部材と、該動力伝達部材から揺動腕の支点までの距離を移動させることが可能な調節機構と、からなる開口機構を備え、動力伝達部材から揺動腕の支点までの距離を無段階に移動させて動力伝達部材の変位量を変化させることにより、動作機構の変位量を変化させて、吸着部材の変位量を連続的に調節して封筒を拡開させている。
【先行技術文献】
【特許文献】
【０００６】
【特許文献１】特開平６−１９１１９２号公報
【特許文献２】特開平７−１７２１００号公報
【特許文献３】特開平１０−２８７０９５号公報
【発明の概要】
【発明が解決しようとする課題】
【０００７】
しかしながら、特許文献１又は特許文献２の装置では、開口部における口元周辺のみを開く構成であるため、例えばＡ４サイズの枚葉紙がそのまま封入可能な角形２号サイズのように開口部の長さよりも封入方向への長さ（深さ）が大きい縦長の封筒の場合に封筒の奥まで完全に開くことができなかった。
【０００８】
従って、内容物が複数枚のときや折り畳まれている場合は、封筒の開口が不十分であっても紙の剛性である程度までは封入可能であるが、内容物に折り加工されていないときや腰のない軽量紙１枚のみのような場合は、縦長封筒の未開口部分に引っ掛かってしまいスムーズに封入することができず封入不良が起きる虞があった。
【０００９】
また、特許文献３の装置では、開口部周辺のみならず、封筒全体を開口させることができるが、開口時に封筒の開口端及び本体の複数箇所を吸引する機構が必要となるため装置が複雑化して大掛かりなものとなってしまい、装置価格が嵩むという問題があった。
【００１０】
そこで、本発明は上記問題点に鑑みてなされたものであり、簡易的な構成で内容物を封入する封筒が縦長であっても確実に開口部を開口して内容物の封入不良を防止することができる封入封緘装置を提供することを目的とするものである。
【課題を解決するための手段】
【００１１】
上記した目的を達成するため、請求項１記載の封入封緘装置は、印刷済みの内容物を封筒に封入封緘して封書を作製する封入封緘装置において、
内容物封入位置まで搬送した前記封筒のフラップを保持するフラップ保持手段と、
前記内容物封入位置まで搬送した前記封筒の底部を保持する底部保持手段と、
前記封筒の開口端に沿って設けられた複数の爪部を有し前記開口部を開口する際に退避位置から前記封筒の開口端に向けて回動自在に軸支され開口爪と、前記封筒が内容物封入位置まで搬送されたときに前記封筒の開口端を前記開口爪とで狭持した状態で前記封筒の搬送方向と逆方向に回転して前記開口端に所定の張力を付与する張力付与ローラとで構成され、前記封筒のフラップ及び底部が保持された状態で前記封筒の開口部を開口し、且つ前記開口部の開口端と前記封筒底部との間に、張力を付与しながら保持する開口部保持手段と、
を備えたことを特徴とする。
【００１２】
請求項２記載の封入封緘装置は、請求項１記載の封入封緘装置において、前記フラップ保持手段及び前記底部保持手段は一対の搬送ローラからなり、前記フラップ保持手段の回転駆動を停止した後、所定時間経過後に前記底部保持手段の回転駆動を停止することを特徴とする。
【発明の効果】
【００１４】
本発明に係る請求項１の封入封緘装置によれば、内容物を封入する封筒が縦長封筒であっても確実に開口させることができるため、折り加工されていない１枚の内容物や軽量紙であってもスムーズに封入することができる。さらに、開口爪と張力付与ローラとで封筒の開口端を挟持した状態で開口端に所定の張力を付与しているので、縦長封筒であっても確実に開口することができる。
【００１５】
また、請求項２記載の封入封緘装置によれば、封筒のフラップを支点として底部を引張することで封筒の皺を伸ばした状態で開口部の開口を行うことができるため、より確実に開口部を開口することができる。
【図面の簡単な説明】
【００１７】
【図１】本発明に係る封入封緘装置の設置例を示す概略構成図である。
【図２】同装置の第２搬送経路におけるガイド部材の説明図である。
【図３】（ａ）、（ｂ）  同装置の開口爪の動作図である。
【図４】内容物封入位置で封筒が引張された状態を示す説明図である。
【図５】（ａ）〜（ｃ）  封緘処理時の動作図である。
【発明を実施するための形態】
【００１８】
以下、本発明を実施するための形態について、添付した図面を参照しながら詳細に説明する。また、この実施の形態によりこの発明が限定されるものではなく、この形態に基づいて当業者などによりなされる実施可能な他の形態、実施例及び運用技術などはすべて本発明の範疇に含まれる。
【００１９】
本例の封入封緘装置は、作製すべき封書に内容物となる枚葉状の用紙に対して印刷を行う周知の印刷装置（孔版印刷装置、インクジェットプリンタ、レーザプリンタ等）と接続し、印刷装置で印刷処理された内容物と、既成の封筒とを異なる搬送経路で搬送して封入封緘手段で合流させ、内容物を封筒に封入・封緘して完成した封書として排出するものである。
【００２０】
なお、本例の封入封緘装置は、上記構成に限定されず、内容物に印刷を行う印刷部と、封筒に印刷済みの内容物の封入封緘を行う封入封緘部とを一体にした封書作成装置における封入封緘部として具備した構成とすることもできる。
【００２１】
また、本明細書中で使用される封筒の形態として、Ａ４サイズの枚葉紙がそのまま封入可能な封筒（例えば角形２号）のように開口部における幅方向の長さよりも封入方向への長さ（深さ）が大きな封筒を「縦長封筒」、Ａ４サイズの枚葉紙を横３つ折りして封入可能な封筒（例えば洋形０号）のように開口部における幅方向の長さより封入方向への長さ（深さ）が小さな封筒を「横長封筒」としてそれぞれ定義する。
【００２２】
まず、本発明に係る封入封緘装置について図１〜４を参照しながら説明する。図１に示すように、封入封緘装置１は、内容物搬送部１０と、封筒搬送部２０と、封入封緘部３０とを備えて概略構成されている。また、本例の封入封緘装置１は、付設する印刷装置１００とで封書作製装置とする構成で説明するため、封入封緘装置１における各部の駆動制御を行う制御部４０として印刷装置１００に内蔵されたものを兼用している。なお、制御部４０は、封入封緘装置１専用の構成要件として装置内に内蔵することも可能である
【００２３】
内容物搬送部１０は、印刷装置１００から搬送された印刷済みの用紙である内容物Ｐを封入封緘部３０へ搬送する搬送経路であり、内容物Ｐをそのままの状態で封入封緘部３０へと搬送する第１搬送経路１１と、内容物Ｐに対して所定の折り加工を施す折り手段１３へと搬送する第２搬送経路１２との２系統に分岐して構成されている。
【００２４】
また、内容物搬送部１０における第１搬送経路１１と第２搬送経路１２との分岐点には、内容物Ｐの形態に応じて各搬送経路を切り替える経路切替部材１４が設けられている。この経路切替部材１４は、封筒Ｅに封入される内容物Ｐの内容が折り加工されない１枚の印刷物のときに第１搬送経路１１を経由し、内容物Ｐが複数枚のとき又は折り加工されるときに第２搬送経路１２を経由するよう、制御部４０の制御に基づき切り替え制御される。
【００２５】
第１搬送経路１１は、経路上に内容物搬送用の搬送ローラ対１１ａを複数配置し、印刷装置１００の排出部から水平に延設され、さらにその下流側を斜め下方へ延設して終端が封入封緘部３０に接続されている。第１搬送経路１１は、封入する内容物Ｐが折り加工されない１枚の印刷物であったときに、印刷装置１００から搬送された内容物Ｐを封入封緘部３０まで搬送している。
【００２６】
第２搬送経路１２は、経路上に内容物搬送用の搬送ローラ対１２ａを複数配置し、第１搬送経路１１における水平部分から分岐する形で斜め下方に延設され、その終端が内容物Ｐを封筒Ｅの形態に合わせて折り加工を施す折り手段１３（主折りローラＡ、第１折りローラＢ、第２折りローラＤ及び搬送ローラＣで構成）に接続され、さらに折り手段１３の後段から上昇して再び第１搬送経路１１へと合流するように接続されている。また、折り手段１３では、複数枚の内容物Ｐに折り加工を施さない場合、図２に示すように搬送ローラＤと第１折りローラＢとの間及び第１折りローラＢと第２折りローラＣとの間に、内容物Ｐの搬送方向をガイドするガイド部材１５が退避位置から移動して搬送経路を形成している。
【００２７】
第２搬送経路１２は、封筒Ｅに封入する内容物Ｐが複数枚又は折り加工する印刷物であったときに、印刷装置１００から搬送された内容物Ｐを受け入れ、封入枚数に至るまでストックして必要であれば折り加工を施した後、封入封緘部３０まで搬送している。
【００２８】
封筒搬送部２０は、既成の封筒Ｅを積載する載置台２１と、載置台２１に載置された封筒Ｅを１枚ずつ搬入する給送ローラ２２と、封筒ＥのフラップＥｃが閉じた状態で搬送された際にそのフラップＥｃを捲って開くフラップ開き部材２３と、経路に沿って封筒Ｅを搬送する複数の搬送ローラ対２４とで構成されている。封筒搬送部２０は、載置台２１の封筒Ｅを給送ローラ２２で搬入し、フラップ開き部材２３で閉じているフラップＥｃを開き、フラップＥｃを開いた状態の封筒Ｅを１枚ずつ搬入して封入封緘部３０まで搬送している。
【００２９】
封入封緘部３０は、フラップ保持手段３１と、底部保持手段３２と、封筒検知手段３３と、開口部保持手段３４と、加水手段３５と、封緘処理手段３６とで構成され、封筒搬送部２０を経由して搬送された封筒Ｅに第１又は第２搬送経路１１、１２を経由して搬送された内容物Ｐを封入封緘して封書を作製している。
【００３０】
フラップ保持手段３１は、封筒搬送部２０の終端近傍に設けられた一対の搬送ローラで構成されている。また、フラップ保持手段３１は、封筒Ｅに内容物Ｐを封入する位置（以下、「内容物封入位置」という）まで封筒Ｅを搬送する搬送手段として機能する。フラップ保持手段３１は、制御部４０の制御に基づき、内容物封入位置まで搬送した封筒ＥのフラップＥｃを搬送し、底部保持手段３２によって封筒Ｅの底部Ｅｄが挟持されると回転駆動を停止することで、図４に示すように封筒ＥのフラップＥｃを図中矢印方向へ引張した状態で保持している。
【００３１】
底部保持手段３２は、封筒Ｅの底部Ｅｄを挟持する一対の搬送ローラであり、縦長封筒の長さに基づく位置に設置される縦長封筒用ローラ対３２ａと、これより上流側に設置される横長封筒用ローラ対３２ｂとで構成されている。また、底部保持手段３２は、封筒搬送部２０から搬送される封筒Ｅを内容物封入位置まで搬送する搬送手段として機能する。底部保持手段３２は、制御部４０の制御に基づき、内容物封入位置まで搬送された封筒Ｅの底部Ｅｄを挟持し、フラップ保持手段３１の回転駆動が停止してから所定時間経過後に回転停止することで、図４に示すように封筒Ｅの底部Ｅｄを図中矢印方向へ引張した状態で保持している。
【００３２】
なお、横長封筒用ローラ対３２ｂの一方のローラは、縦長封筒における開口部Ｅａを開口する際、封筒Ｅから離間する方向へ退避し、封筒Ｅの開口を妨げない構成となっている。
【００３３】
封筒検知手段３３は、封筒Ｅの底部Ｅｄが検出可能な周知の光電センサ（ライン型センサ、反射型フォトセンサ等）で構成され、フラップ保持手段３１と底部保持手段３２との間の搬送路上に配置されている。封筒検知手段３３は、搬送された封筒Ｅの底部Ｅｄを光学的に検知すると、この検知情報を底部検知信号として制御部４０に出力している。
【００３４】
なお、封筒検知手段３３は、上記光電センサに限らず、例えば封筒Ｅの底部Ｅｄに接触部材が接触したときにＯＮとなり封筒Ｅが搬送されてきたことを検知する機械式のスイッチ機構等、封筒Ｅの底部Ｅｄが検知可能なセンサであればよい。
【００３５】
開口部保持手段３４は、開口爪３４ａと、張力付与ローラ３４ｂとで構成され、内容物封入位置に搬送された封筒Ｅの開口部Ｅａに開口爪３４ａを挿入し、開口端Ｅｂを開口爪３４ａと張力付与ローラ３４ｂとで狭持した状態で開口端Ｅｂに封筒Ｅの搬送方向と逆方向（図中上方向）への張力を付与して封筒Ｅを開口している。
【００３６】
開口爪３４ａは、封筒Ｅの幅方向に並んだ複数の爪部を有し、開口部Ｅａを開口する際に退避位置から封筒Ｅの開口端Ｅｂに向けて支持アーム３４ｃにより回動自在に軸支されている。開口爪３４ａは、封筒Ｅが内容物封入位置まで搬送されたとき、図３（ａ）に示すように所定位置まで回動して爪部を封筒Ｅの開口部Ｅａに挿入し、封筒Ｅの開口端Ｅｂを張力付与ローラ３４ｂとで狭持している。なお、爪部の設置数や間隔は、使用する封筒Ｅの形状や大きさに応じた形状のものを任意に選択することができる。
【００３７】
張力付与ローラ３４ｂは、封筒Ｅの搬送方向と逆回転に回転するローラであり、制御部４０の制御に基づき、図３（ｂ）に示すように封筒Ｅが内容物封入位置まで搬送されたときに封筒Ｅの開口端Ｅｂを開口爪３４ａとで狭持した状態で回転して開口端Ｅｂに所定の張力を付与している。これにより、図４に示すように、封筒ＥのフラップＥｃと底部Ｅｄとが引張された状態でさらに開口部Ｅａの開口端Ｅｂに適度な張力（図中太矢印方向）が付与されるため、封筒Ｅが完全に開口する。なお、張力付与ローラ３４ｂは、封筒Ｅに一定の張力が付与された時点で回転を停止して開口端Ｅｂに付与した張力を保持する。
【００３８】
加水手段３５は、封筒Ｅの再湿糊形成部分に加水する装置であって、加水用の水が貯留される水タンク３５ａと、水タンク３５ａの水に浸漬されたフェルト材等からなる吸水部３５ｂと、搬送路を挟んで水タンク３５ａと対向する位置に回動自在に支持される揺動アーム３５ｃとを備えている。加水手段３５は、内容物Ｐ封入後の封筒Ｅの再湿糊形成部分が加水手段３５の吸水部３５ｂと対面した位置まで搬送されると、制御部４０の制御に基づき、揺動アーム３５ｃが揺動し、再湿糊が吸水部３５ｂに押し付けられて加水されることで、再湿糊形成部分に水を付けて接着力を発揮させている。
【００３９】
封緘処理手段３６は、封筒Ｅの搬送方向を規制する規制板３６ａと、再湿糊への加水時に封筒Ｅが搬送される封緘用搬送路３６ｂと、封緘用搬送路３６ｂは搬入された封筒Ｅの底部Ｅｄと当接してその搬入位置を規制する封筒サイズに応じて摺動可能なエンドフェンス３６ｃと、フラップＥｃと再湿糊形成部分とを挟持により接着して封緘する封緘用ローラ対３６ｄとを備えている。
【００４０】
封緘処理手段３６は、制御部４０の制御に基づき、まず図５（ａ）に示すように内容物Ｐ封入後の封筒Ｅを一旦搬送方向と逆方向に所定距離戻し、封筒Ｅが封緘用搬送路３６ｂへ搬送されるよう規制板３６ａを退避位置から搬送方向規制位置まで回動する。そして、図５（ｂ）に示すように封筒Ｅを封緘用搬送路３６ｂへ誘導して封筒Ｅの再湿糊を加水し、図５（ｃ）に示すように再湿糊が加水された封筒Ｅを封緘用ローラ対まで搬送して封筒ＥのフラップＥｃと開口部Ｅａを挟持して封緘し、封緘後の封書を不図示の排出台へと搬送している。
【００４１】
制御部４０は、例えばＣＰＵやＲＯＭ、ＲＡＭなどで構成された各種制御処理や演算処理を行うマイクロコンピュータであり、封入封緘装置１を構成する各部の駆動制御を行っている。なお、本例の制御部４０は、印刷装置１００に付設される用紙後処理装置として機能する構成例であるため、印刷装置１００の制御部を兼用しているが、封入封緘装置１本体に具備する構成でもよい。
【００４２】
また、制御部４０は、封筒Ｅのサイズや内容物Ｐの形状（枚数や折り加工の有無）に基づき、封筒Ｅや内容物Ｐの搬送制御を行っている。
具体的には、印刷装置１００から搬送される内容物Ｐの搬送経路の選択とその搬送タイミングの制御、封筒Ｅの搬送タイミングの制御、封筒検知手段３３からの底部検知信号の入力タイミングに基づき封筒Ｅの底部Ｅｄを底部保持手段３２まで搬送する制御、封筒Ｅが内容物封入位置まで搬送されたときに開口爪３４ａを封筒Ｅの開口端Ｅｂまで回動させる制御、内容物Ｐを封筒Ｅに封入する制御、封筒Ｅに内容物Ｐが封入された後に封筒Ｅの再湿糊形成部分が加水手段３５の吸水部３５ｂと対面した位置まで搬送する制御、内容物Ｐ封入後の封筒Ｅの封緘処理に関する制御等がある。なお、封筒Ｅ及び内容物Ｐの搬送距離は、搬送に用いる各ローラに付設する駆動モータ（不図示）のピニオンギアの回転数に基づき制御される。
【００４３】
さらに、制御部４０は、封筒Ｅを内容物封入位置に搬送したとき、フラップ保持手段３１でフラップＥｃを保持してから所定時間経過後に底部保持手段３２の駆動を停止する。このように、底部保持手段３２よりも先にフラップ保持手段３１の駆動が停止するよう制御することで、先に保持された封筒ＥのフラップＥｃを支点として封筒Ｅの底部Ｅｄを引張して封筒Ｅの皺が伸ばされ、確実に封筒Ｅの開口部Ｅａを開口することができる。
【００４４】
次に、上記構成例の封入封緘装置１における一連の処理動作について説明する。ここでは、封筒Ｅとして縦長封筒を使用し、内容物Ｐとして折り加工を施さない１枚の用紙を封筒Ｅに封入封緘する例について説明する。
【００４５】
まず、封筒搬送部２０によって載置台２１に載置された封入封緘部３０まで搬送する。このとき、封筒ＥのフラップＥｃが開いていない場合は、フラップ開き部材２３によってフラップＥｃが捲られて開く。そして、封筒検知手段３３が搬送された封筒Ｅの底部Ｅｄを検知すると、その検知タイミングに基づき封筒Ｅを所定距離搬送し、底部保持手段３２によって封筒Ｅの底部Ｅｄを挟持する。
【００４６】
次に、封筒Ｅの底部Ｅｄを挟持した状態でフラップ保持手段３１の回転を停止し、フラップＥｃが保持された状態で底部保持手段３２の回転を所定時間継続して封筒Ｅを引張した状態とする。そして、底部保持手段３２の回転を停止して底部Ｅｄを保持する。これにより、封筒Ｅに皺がよらず正しい内容物封入位置で保持される。
【００４７】
封筒Ｅが内容物封入位置で保持されると、開口爪３４ａを封筒Ｅの開口部Ｅａまで回動して挿入し、開口部Ｅａの開口端Ｅｂを開口爪３４ａと張力付与ローラ３４ｂとで狭持する。そして、この状態で張力付与ローラ３４ｂを搬送方向と逆方向に回転して開口端Ｅｂに所定の張力を付与する。これにより、封筒Ｅの開口部Ｅａにおける開口端Ｅｂに一定の張力が付与され、封筒Ｅの開口部Ｅａの口元のみならず全体を開口させることができる。そして、印刷装置１００において印刷処理が完了した内容物Ｐは、第１搬送経路１１を経由して搬送され、封筒Ｅに封入される。
【００４８】
次に、内容物Ｐを封入した封筒Ｅを搬送方向と逆方向に所定距離戻し、封筒Ｅが封緘用搬送路３６ｂへ搬送されるよう規制板３６ａを退避位置から搬送方向規制位置まで回動する。そして、封筒Ｅを封緘用搬送路３６ｂへ誘導して封筒Ｅの再湿糊を加水した後、封緘用ローラ対まで搬送して封筒ＥのフラップＥｃと開口部Ｅａを挟持搬送しながら封緘し、封緘後の封書を排出台へ搬送する。
【００４９】
以上説明したように、上述した封入封緘装置１は、封筒搬送部２０によって封入封緘部３０に搬送された封筒Ｅの底部Ｅｄを底部保持手段３２で保持し、フラップ保持手段３１で保持する。そして、この状態で開口爪３４ａを封筒Ｅの開口部Ｅａまで回動して挿入し、開口部Ｅａの開口端Ｅｂを開口爪３４ａと張力付与ローラ３４ｂとで狭持し、張力付与ローラ３４ｂを搬送方向と逆方向に回転して開口端Ｅｂに所定の張力を付与する。
【００５０】
これにより、封筒ＥのフラップＥｃと底部Ｅｄとが引張された状態でさらに開口部Ｅａの開口端Ｅｂに張力が付与されることで封筒Ｅが完全に開口するため、折り加工されていない内容物Ｐや腰のない軽量紙１枚のみの用紙であってもスムーズに封入することができる。
【００５１】
また、封筒Ｅを内容物封入位置に搬送したとき、フラップ保持手段３１でフラップＥｃを保持してから所定時間経過後に底部保持手段３２の駆動を停止するよう制御しているため、先に保持された封筒ＥのフラップＥｃを支点として封筒Ｅの底部Ｅｄが引張されて封筒Ｅの皺を伸ばして正しい位置で保持することができ、より確実に封筒Ｅの開口部Ｅａを開口することができる。
【符号の説明】
【００５２】
１…封入封緘装置
１０…内容物搬送部
１１…第１搬送経路（１１ａ…搬送ローラ対）
１２…第２搬送経路（１２ａ…搬送ローラ対）
１３…折り手段
１４…経路切替部材
１５…ガイド部材
２０…封筒搬送部
２１…載置台
２２…給送ローラ
２３…フラップ開き部材
２４…搬送ローラ対
３０…封入封緘部
３１…フラップ保持手段
３２…底部保持手段（３２ａ…縦長封筒用ローラ対、３２ｂ…横長封筒用ローラ対）
３３…封筒検知手段
３４…開口部保持手段（３４ａ…開口爪３４ａ、３４ｂ…張力付与ローラ、３４ｃ…支持アーム）
３５…加水手段（３５ａ…水タンク、３５ｂ…吸水部、３５ｃ…揺動アーム）
３６…封緘処理手段（３６ａ…規制板３６ａ、３６ｂ…封緘用搬送路、３６ｃ…エンドフェンス、３６ｄ…封緘用ローラ対）
４０…制御部
１００…印刷装置
Ｐ…内容物
Ｅ…封筒（Ｅａ…開口部、Ｅｂ…開口端、Ｅｃ…フラップ、Ｅｄ…底部）
【図１】
0005636274.tif 000002
【図２】
0005636274.tif 000003
【図３】
0005636274.tif 000004
【図４】
0005636274.tif 000005
【図５】
0005636274.tif 000006